(57)【要約】本発明は、靴（１０）の外側から靴（１０）の合い具合を判断するための方法、システム、および靴（１０）に関するものであり、この靴は、人の踵（１６）を載せるための参照ゲージと、靴がフィットしているために人の爪先どこまで延びているべきかを示す参照マーク（２２）とを有するこのシステムは、デカールを使用するように対応することもできるし、適用される靴サイズに対応する、目に見えるフィットガイドが表面に描かれている下げ札などの独立した足測定ガイドを靴に取り付けるように対応することもできる。左右両足に対応するように吊るし札の両面に印刷が施されてもよい。
2004522462.tif 000002
【特許請求の範囲】
【請求項１】
表底を有し、
前記表底は、表底の後端部にある参照ゲージであって、足の踵を載せるための参照位置を画定し、靴の中にあるときの人の踵の位置にさらに対応する参照ゲージを備え、
前記表底の前端部にある第１の参照マークであって、前記靴が前記足に適切にフィットすることを保証するために前記踵が前記参照ゲージに載せられるときに前記足の爪先が収まるべき第１の領域を画定する第１の参照マークと、
前記第１の参照マークより前端側にある第２の参照マークであって、前記靴が前記足に適切にフィットすることをさらに保証するために前記靴内のゆとり寸に対応する第２の領域を画定する第２の参照マークと
を有する靴。
【請求項２】
前記参照ゲージは、前記足の踵に合うように略Ｕ字形をしている、請求項１に記載の靴。
【請求項３】
前記参照ゲージが実質的に末端の線である、請求項１に記載の靴。
【請求項４】
前記表底が第３の参照マークであって、前記靴内の適切な幅フィットに対応する第３の領域を画定する第３の参照マークをさらに有する、請求項１に記載の靴。
【請求項５】
前記表底が、前記参照ゲージと前記第１の参照マークとの中間にある第４の参照マークであって、前記踵が前記参照ゲージに載っているときに、前記靴が適切にフィットすることを保証するために前記足の母指球が合うべき場所に対応する第４の領域を画定する第４の参照マークをさらに有する、請求項１に記載の靴。
【請求項６】
前記表底は前記靴内の全体形状に対応する輪郭をさらに有する、請求項１に記載の靴。
【請求項７】
表底の後端部にあり、足の踵を載せるための参照位置を画定し、靴の中にあるときの人の踵の位置にさらに対応する参照ゲージと、
前記表底の前端部にある第１の参照マークであって、前記靴が前記足に適切にフィットすることを保証するために前記踵が前記参照ゲージに載せられるときに前記足の爪先が収まるべき第１の領域を画定する第１の参照マークと、
前記第１の参照マークより前端側にある第２の参照マークであって、前記靴が前記足に適切にフィットすることをさらに保証するために前記靴内のゆとり寸に対応する第２の領域を画定する第２の参照マークと
を有する表底を備えた靴の合い具合を判断するためのシステム。
【請求項８】
前記参照ゲージは、前記足の踵に合うように略Ｕ字形をしている、請求項７に記載のシステム。
【請求項９】
前記参照ゲージが実質的に末端の線である、請求項７に記載のシステム。
【請求項１０】
前記表底が、前記第１の参照マークより前端側にある第３の参照マークであって、前記靴内の適切な幅フィット対応する第３の領域を画定する第３の参照マークをさらに有する、請求項７に記載のシステム。
【請求項１１】
前記表底が、前記参照ゲージと前記第１の参照マークとの中間にある第４の参照マークであって、前記踵が前記参照ゲージに載っているときに、前記靴が適切にフィットすることを保証するために前記足の母指球が合うべき場所に対応する第４の領域を画定する第４の参照マークをさらに有する、請求項７に記載のシステム。
【請求項１２】
前記表底は前記靴内の全体形状に対応する輪郭をさらに有する、請求項７に記載のシステム。
【請求項１３】
靴の合い具合を靴の外側から判断する方法であって、
表底を有する靴であって、前記表底が、前記表底の後端部にあり、足の踵を載せるための参照位置を画定し、靴の中にあるときの人の踵の位置にさらに対応する参照ゲージと、前記表底の前端部にある第１の参照マークであって、前記靴が前記足に適切にフィットすることを保証するために前記踵が前記参照ゲージに載せられるときに前記足の爪先が収まるべき第１の領域を画定する第１の参照マークと、前記第１の参照マークより前端側にある第２の参照マークであって、前記靴が前記足に適切にフィットすることをさらに保証するために前記靴内のゆとり寸に対応する第２の領域を画定する第２の参照マークとを含んでいる靴を用意するステップと、
前記靴の表底の後端部に位置する前記参照ゲージの上に前記踵を載せるステップと、
踵を参照ゲージ上に残して、前記爪先が前記表底に沿って前記表底の前端部に向かって延びるように前記足を前記表底に載せるステップと、
前記爪先の延在部を、前記靴が足に適切にフィットしすることを保証するするために前記踵が前記参照ゲージに載せられたときに前記爪先が来るべき場所に対応している前記表底の前端部にある第１の参照マークと比較するステップと、
を備える方法。
【請求項１４】
前記参照ゲージは、前記足の踵に合うように略Ｕ字形をしている、請求項１３に記載の方法。
【請求項１５】
前記参照ゲージが実質的に末端の線である、請求項１３に記載の方法。
【請求項１６】
前記表底が第３の参照マークをさらに有し、前記第３の参照マークは、前記靴内の適切な幅フィットに対応する第３の領域を画定する、前記足の幅と前記第３の参照マークとを比較するステップをさらに備える、請求項１３に記載の方法。
【請求項１７】
前記表底が、前記参照ゲージと前記第１の参照マークとの間にある第４の参照マークであって、前記踵が前記参照ゲージに載っているときに、前記靴が適切にフィットすることを保証するために前記足の母指球が合うべき場所に対応する第４の領域を画定する第４の参照マークをさらに有しており、
前記足の母指球を前記第４の参照マークに載せるステップをさらに備える、請求項１３に記載の方法。
【請求項１８】
前記表底が前記靴内の全体形状に一致する輪郭をさらに有しており、
前記足の全体形状と前記輪郭とを皮革するステップをさらに備える、請求項１３に記載の方法。
【請求項１９】
表底を有し、
前記表底は、前記表底の後端部に永久付着させられる参照ゲージを有し、前記参照ゲージが足の踵を載せるための参照位置を画定し、前記参照ゲージがさらに前記足の踵に対応し、前記表底上の前記参照ゲージの位置が、靴の中にあるときの人の踵の位置に対応しており、
前記表底の前端部に永久付着させられる第１の参照マークであって、前記靴が前記足に適切にフィットすることを保証するために前記踵が前記参照ゲージに載せられるときに前記足の爪先が収まるべき第１の領域を画定する第１の参照マークと、
前記第１の参照マークより前端側に永久付着させられる第２の参照マークであって、前記靴が前記足に適切にフィットすることをさらに保証するために前記靴内のゆとり寸に対応する第２の領域を画定する第２の参照マークと、
前記表底上に永久付着させられる第３の参照マークであって、前記靴内の適切な幅フィットに対応する第３の領域を画定する第３の参照マークと、
を有する靴。
【請求項２０】
前記表底上の、前記参照ゲージと前記第１の参照マークとの間に永久付着させられる第４の参照マークであって、前記踵が前記参照ゲージに載っているときに、前記靴が適切にフィットすることを保証するために前記足の母指球が合うべき場所に対応する第４の領域を画定する第４の参照マークと、
靴内の全体形状に対応する、前記表底に永久付着させられる輪郭と、
をさらに有する、請求項１９に記載の靴。
【請求項２１】
表底を有する靴の合い具合を判断するためのシステムであって、
靴の表底に一時的に貼り付けるための剥がせる接着剤を片面に有するデカールを有し、
前記デカールが接着剤保護基材を有し、前記表底に一時的に直接貼り付けるために前記基材から分離され、
前記デカール上の、デカール後端部に印刷され、足の踵を載せるための参照位置を画定する参照ゲージであって、さらに前記足の踵に対応し、前記デカールが前記表底に貼り付けられると、前記デカール上の前記参照ゲージの位置が、前記靴の中にあるときの人の踵の位置に対応する参照ゲージと、
前記デカール上の、デカールの前端部に印刷される第１のマークであって、前記靴が前記足に適切にフィットすることを保証するために前記踵が前記参照ゲージに載せられるときに前記足の爪先が収まるべき第１の領域を画定する第１の参照マークと、
前記デカール上の、前記第１の参照マークより前端側に印刷される第２の参照マークであって、前記靴が前記足に適切にフィットすることをさらに保証するために前記靴内のゆとり寸に対応する第２の領域を画定する第２の参照マークと、
を有するシステム。
【請求項２２】
前記デカール上に印刷される、前記靴内の全体形状に対応する輪郭をさらに有する、請求項２１に記載のシステム。
【請求項２３】
前記デカール上に印刷される第３の参照マークであって、前記靴内の適切な幅フィットに対応する第３の領域を画定する第３の参照マークと、
前記デカール上の、前記参照ゲージと前記第１の参照マークとの間に印刷される第４の参照マークであって、前記踵が前記参照ゲージに載っているときに、前記靴が適切にフィットすることを保証するために前記足の母指球が合うべき場所に対応する第４の領域を画定する第４の参照マークと、
をさらに備える、請求項２２に記載のシステム。
【請求項２４】
札と、
前記札上の、札の後端部に印刷され、足の踵を載せるための参照位置を画定する参照ゲージであって、さらに前記足の踵に対応し、前記札上の前記参照ゲージの位置が、靴の中にあるときの人の踵の位置に対応する参照ゲージと、
前記札上の、札の前端部に印刷される第１の参照マークであって、前記靴が前記足に適切にフィットすることを保証するために前記踵が前記参照ゲージに載せられるときに前記足の爪先が収まるべき第１の領域を画定する第１の参照マークと、
前記札上の、前記第１の参照マークより前端側に印刷される第２の参照マークであって、前記靴が前記足に適切にフィットすることをさらに保証するために前記靴内のゆとり寸に対応する第２の領域を画定する第２の参照マークと、
を有する、目に見える靴フィットガイド。
【請求項２５】
前記札上に印刷される、前記靴内の全体形状に対応する輪郭をさらに有する、請求項２４に記載の目に見える靴フィットガイド。
【請求項２６】
前記札上に印刷される第３の参照マークであって、前記靴内の適切な幅フィットに対応する第３の領域を画定する第３の参照マークをさらに有する、請求項２５に記載の目に見える靴フィットガイド。
【請求項２７】
前記札上の、前記参照ゲージと前記第１の参照マークとの間の印刷される第４の参照マークであって、前記踵が前記参照ゲージに載っているときに、前記靴が適切にフィットすることを保証するために前記足の母指球が合うべき場所に対応する第４の領域を画定する第４の参照マークをさらに有する、請求項２６に記載の目に見える靴フィットガイド。
【請求項２８】
前記参照ゲージ、前記第１の参照マーク、前記第２の参照マーク、および前記輪郭が前記札の両面に印刷され、前記札の片面が左側の靴を表し、前記札の反対面が右側の靴を表す、請求項２５に記載の目に見える靴フィットガイド。
【請求項２９】
前記参照ゲージ、前記第１の参照マーク、前記第２の参照マーク、および前記輪郭が、靴の所定のサイズに対応するように配置されている、請求項２８に記載の目に見える靴フィットガイド。
【請求項３０】
前記参照ゲージ、前記第１の参照マーク、前記第２の参照マーク、第３の参照マーク、および前記輪郭が前記札の両面に印刷され、前記札の片面が左側の靴を表し、前記札の反対面が右側の靴を表す、請求項２６に記載の目に見える靴フィットガイド。
【請求項３１】
前記参照ゲージ、前記第１の参照マーク、前記第２の参照マーク、第３の参照マーク、前記第４の参照マーク、および前記輪郭が前記札の両面に印刷され、前記札の片面が左側の靴を表し、前記札の反対面が右側の靴を表す、請求項２７に記載の目に見える靴フィットガイド。
【請求項３２】
前記参照ゲージ、前記第１の参照マーク、前記第２の参照マーク、第３の参照マーク、および前記輪郭が、靴の所定のサイズに対応するように配置されている、請求項３０に記載の目に見える靴フィットガイド。
【請求項３３】
前記参照ゲージ、前記第１の参照マーク、前記第２の参照マーク、第３の参照マーク、前記第４の参照マーク、および前記輪郭が、靴の所定のサイズに対応するように配置されている、請求項３１に記載の目に見える靴フィットガイド。
【請求項３４】
前記札は前記販売される靴と一緒に保管される、請求項２４に記載の目に見える靴フィットガイド。
【請求項３５】
前記札は前記札を前記靴に取り付ける手段を有する、請求項３１に記載の目に見える足サイズガイド。
【発明の詳細な説明】
【０００１】
本願は、１９９９年１２月１７日に出願された米国特許出願明細書第０９／４４６，３２７号の一部継続出願である。
【０００２】
１．  発明の属する技術分野
本発明は、靴の外側から靴の合い具合を判断する方法、装置、および靴に関する。
【０００３】
２．  従来技術の説明
当業界では数多くのタイプの靴が知られている。当業界で知られている靴の中には、靴がフィットしているかどうかを判断するための手段を提供するものもある。しかしながら、従来技術には、靴の外側から靴がフィットするかどうかを判断する仕方を提供するものがない。例えば、急いでいて靴の試し履きをする時間を取りたくないこともある。また、靴が販売されている場所で靴の試し履きをするスペースが利用できないこともある。さらにまた、客が正しいサイズを選択するのを手助けする経験が不十分な店員しかいない場所で靴が販売されている場合もある。さらに、子供用の靴を購入する人が、子供の足の成長に合った靴内の余裕を判断できない場合もある。
【０００４】
Ｒｏｓｅｎによる米国特許第５，０１４，０４１号およびＢｅｒｇｅｒによる米国特許第５，０８４，９８８号は、足が大きくなって靴が履けなくなったことを示すために、靴の中まで透明な底を有する靴を開示している。これらの特許では、靴がフィットしているかどうか判断する前に靴を履く必要がある。また、ＲｏｓｅｎおよびＢｅｒｇｅｒは、時間が経つと透明な底が変色したり、すり傷が付いたりすることがあり、そのため、底を通して見られなくなるという問題がある。
【０００５】
当業界では、靴の内側から取り出せる、長さ領域が印刷された出し入れ可能な中敷き（ｉｎｓｏｌｅすなわちｓｏｃｋ）を使用することが知られている。また、Ｇａｒｄｎｅｒによる米国特許第２，４６４，５７１号は、子供の、靴に対する合い具合を中敷きの表面に示す、出し入れ可能な靴合わせインジケータを開示している。Ｇａｒｄｎｅｒのインジケータを使用するには、靴の合い具合を示すために子供の爪先または靴下を着色する着色剤を、出し入れ可能なインジケータの表面に塗布しなくてはならない。この内部部品によって靴の製造工程に費用がかかり、靴の快適性にも影響が及ぶ。着色剤を使用するのでＧａｒｄｎｅｒは面倒で不便である。
【０００６】
靴の表底の表面に記載されるパターンも公知である。Ｓｃｈｍｏｈｌによる米国特許第４，２６６，３４９号は、複数の同心円を有する、底上の輪郭パターンを開示している。Ｓｃｈｎｏｈｌの輪郭パターンは、合い具合の問題とは無関係で、底に作用する力を吸収および伝達するために使用される。
【０００７】
前述の引用文献の装置は、いずれも、靴が人の足にフィットするかどうかを試し履きをせずに判断するという課題を解決するものではない。また、これらの装置は、いずれも、靴が有し得る成長用の余裕を、試し履きをせずに判断するという課題を解決するものではない。前述の従来技術の各引用文献では、少なくとも１回は靴を試し履きする必要がある。
【０００８】
発明の概要
本発明の主たる目的は、靴がフィットするかどうかを試し履きせずに人が判断できる靴を提供することである。
【０００９】
本発明は、表底の後端部にある、足の踵を載せるための参照ゲージと、靴が足に適切にフィットすることを保証するために、踵が参照ゲージに載せられるときに足の爪先が来るべき場所に対応する、表底の前端部にある第１の参照マークとを有する靴またはそのような表底を備えた靴を含むシステムである。
【００１０】
別の実施態様において、参照ゲージは靴の内側の人の踵の位置に対応している。さらに別の実施態様において、参照ゲージは、足の踵に合うように略Ｕ字形をしている。さらに別の実施態様において、参照ゲージは実質的に末端の線（エンドライン）である。
【００１１】
さらに別の実施態様において、表底は、第１の参照マークより前端側にある、靴内のゆとり寸（捨て寸）に対応する第２の参照マークも有する。さらに別の実施態様において、表底は、靴内の幅に対応する第３の参照マークも有する。
【００１２】
さらに別の実施態様において、表底は、踵が参照ゲージ内に置かれたときに母指球が合うべき場所に対応する、参照ゲージと第１の参照マークとの中間に第４の参照マークをさらに有する。さらに別の実施態様において、表底は、靴内の全体形状に対応する輪郭をさらに有する。
【００１３】
さらに別の実施態様において、参照ゲージは表底に永久付着させられる。さらに別の実施態様において、第１の参照マークは表底に永久付着させられる。さらに別の実施態様において、第２の参照マークは表底に永久付着させられる。さらに別の実施態様において、第３の参照マークは表底に永久付着させられる。さらに別の実施態様において、第４の参照マークは表底に永久付着させられる。さらに別の実施態様において、輪郭は表底に永久付着させられる。
【００１４】
さらに別の実施態様において、参照ゲージは表底に一時付着させられる。さらに別の実施態様において、第１の参照マークは表底に一時付着させられる。さらに別の実施態様において、第２の参照マークは表底に一時付着させられる。さらに別の実施態様において、第３の参照マークは表底に一時付着させられる。さらに別の実施態様において、第４の参照マークは表底に一時付着させられる。さらに別の実施態様において、輪郭は表底に一時付着させられる。前述のマーク、ゲージ、および輪郭を表底に一時付着させるために、特徴部を組み合わせたデカールは、接着剤保護基材からデカール（転写シート）を剥離して、特徴部が描かれているデカールを表底に貼付することによって表底に接着され得る。
【００１５】
さらに別の実施態様において、本発明は、靴の合い具合を外側から判断する方法であって、表底の後端部にある、足の踵を載せるための参照ゲージと、靴が足に適切にフィットすることを保証するために、踵が参照ゲージに載せられるときに足の爪先が来るべき場所に対応する、表底の前端部にある第１の参照マークとを含む表底を有する靴を用意するステップと、靴の表底の後端部に位置する参照ゲージの上に踵を載せるステップと、踵を参照ゲージ上に残して、爪先が表底に沿って表底の前端部に向かって延びるように足を表底に載せるステップと、爪先の延在部と、靴が足に適切にフィットすることを保証するために、踵が参照ゲージに載せられるときに足の爪先が来るべき場所に対応する表底の前端部の第１の参照マークとを比較するステップと、を備える方法である。さらに別の実施態様において、参照ゲージは靴の内側の人の踵の位置に対応している。さらに別の実施態様において、参照ゲージは、足の踵に合うように略Ｕ字形をしている。さらに別の実施態様において、参照ゲージは実質的に末端の線（エンドライン）である。
【００１６】
さらに別の実施態様において、表底は、第１の参照マークより前端側にある、靴内のゆとり寸に対応する第２の参照マークをさらに有している。さらに別の実施態様において、表底は、靴内の幅に対応する第３の参照マークをさらに有し、本方法は、足の幅を第３の参照マークと比較するステップをさらに備える。
【００１７】
さらに別の実施態様において、表底は、踵が参照ゲージ内に置かれたときに母指球が合うべき場所に対応する、参照ゲージと第１の参照マークとの中間に第４の参照マークをさらに含み、本方法は、母指球を第４の参照マークに載せるステップを含む。さらに別の実施態様において、表底は、靴内の全体形状に対応する輪郭をさらに有し、本方法は、足の全体形状を輪郭と比較するステップをさらに備える。
【００１８】
本発明のさらに別の実施態様において、参照ゲージは表底に永久付着させられる。さらに別の実施態様において、第１の参照マークは表底に永久付着させられる。さらに別の実施態様において、第２の参照マークは表底に永久付着させられる。さらに別の実施態様において、第３の参照マークは表底に永久付着させられる。さらに別の実施態様において、第４の参照マークは表底に永久付着させられる。さらに別の実施態様において、輪郭は表底に永久付着させられる。
【００１９】
本発明のさらに別の実施態様において、参照ゲージは表底に一時付着させられる。さらに別の実施態様において、第１の参照マークは表底に一時付着させられる。さらに別の実施態様において、第２の参照マークは表底に一時付着される。さらに別の実施態様において、第３の参照マークは表底に一時付着される。さらに別の実施態様において、第４の参照マークは表底に一時付着される。さらに別の実施態様において、輪郭は表底に一時付着させられる。
【００２０】
さらに別の実施態様において、本発明は、表底を含む靴を提供するものであり、この表底は、表底の後端部に永久付着させられる、足の踵を載せるための参照ゲージであって、足の踵に対応するように略Ｕ字形に形成され、表底上の、靴の内側の人の踵の位置に対応する位置に配置される参照ゲージと、靴が足に適切にフィットすることを保証するために、踵が参照ゲージに載せられるときに足の爪先が来るべき場所に対応する、表底の前端部に永久付着させられる第１の参照マークと、靴内のゆとり寸に対応し、表底の第１の参照マークより前端側に永久付着させられる第２の参照マークと、靴内の幅に対応し、表底に永久付着させられる第３の参照マークと、踵が参照ゲージ内に置かれたときに母指球が合うべき場所に対応し、表底の参照ゲージと第１の参照マークとの中間に永久付着させられる第４の参照マークとを有する。靴内の全体形状に対応する、表底に永久付着させられる輪郭と、を有する。
【００２１】
本発明を靴の表底に一時付着させることに関して前述された実施態様において、前述の特徴部を、基材に着脱可能すなわち剥離可能に取り付けられるデカールに組み入れてもよい。次に、靴の小売業者または製造業者は、それぞれの靴の大きさに対応するデカールを、デカールが左の靴用か、右の靴用かによって、靴の表底の一方または両方に貼付できる。消費者は、靴を最初に実際に試し履きする必要なく、デカールが貼付されている表底に足を合わせ、靴が適切であるかどうか判断できる。
【００２２】
本発明のさらに別の実施態様において、特徴部は、目に見える靴のフィットガイドとして働く札に組み入れられ、この札は、靴箱内の靴に同梱することができ、小売店で靴箱から靴が取り出されたときに、靴のサイズが正しいか判断するのに速やかに参照確認するために札を利用できるように、一方の靴に取付可能であることが好ましい。札は両面に印刷することができ、片面が左足に対応し、反対側の面が右側に対応していることが好ましい。
【００２３】
靴が適切にフィットするかを判断する方法を含む、本願明細書に記載されているこれらすべての実施態様により、消費者は靴用サイズゲージを調べる靴販売員に頼らずに自分自身で対応することが可能となる。これらの靴用サイズゲージは、店舗によっては顧客が使用することもできるが、ほとんどの場合、使用できない。使用できるようにしたとしても、各足の幅とサイズを示す参照マークが複雑なため、使用するのが難しいことが多い。靴用サイズゲージは、正しく読まれれば正確であるが、往々にして安売り店には置かれてなく、通常、消費者は自ら履いてみる必要がある。したがって、本発明は、消費者の世話をする販売員を待つ必要なく、適切な靴サイズを調べるための有用かつ簡素な手段を提供する。
【００２４】
本発明の性質と目的をより完全に理解するために、添付図面に関連付けられた以下の詳細説明を参照すべきである。
【００２５】
これらの図面は単なる例であり、決して本発明を限定しようとするものではない。
【００２６】
発明の詳しい説明
ここで図面、特に図１を参照すると、靴の外側から合い具合を判断できる靴である本発明は、全体を１０で示されている。足１２を保護するために使用される靴１０は、皮革およびゴムなど、当業界で周知の材料であれば、どの材料で作られていてもよい。靴１０の外側は表底１４すなわち底部を含んでいる。表底１４は、ゴムおよび皮革を含む、当業界で周知の数多くの材料から作ることができる。靴１０の表底１４は、図１および２に概括的に示されているように、足１２の踵２０を載せるための参照ゲージ１６を表底１４の後端部１８に備えている。参照ゲージ１６は、人の踵２０に合うように形成されている。参照ゲージ１６は１つ以上のマークを備えていてもよい。また、参照ゲージ１６は、略Ｕ字形に形成されてもよいし、別の形状を含んでいてもよい。好適な実施形態は、図１および２に示されているような、ほぼＵ字形の参照ゲージ１６である。参照ゲージ１６は表底１４に永久付着または一時付着させてもよい。参照ゲージ１６は、表底１４に成形、絵付け、印刷、または刻印することによって表底１４に配置されてもよい。別の実施形態として、参照ゲージ１６は、接着性の裏材を備えたプラスチックまたは紙に印刷されて表底１４に貼り付けられてもよい。参照ゲージ１６を表底１４に配置する他の手段は当業界において周知である。別の実施形態において、参照ゲージ１６の位置は、靴１０の内側の踵２０の場所と一致している。
【００２７】
また、表底１４は、靴１０が足１２に適切にフィットすることを保証するために、踵２０が参照ゲージ１６に載せられるときに足１２の爪先が来るべき場所に対応する、表底の前端部２４にある第１の参照マーク２２を有する。第１の参照マーク２２は、足１２の爪先が参照ゲージ１６から延びていてもよい範囲、したがって靴１０がフィットしていられる爪先の範囲を示すバー、線、一連の線、または領域であってもよい。適切にフィットするために爪先が来るべき場所に対応する第１の参照マーク２２を提供する別の手段も当業界において周知である。
【００２８】
あるいは、表底１４が第２の参照マーク２６を備えていてもよい。第２の参照マークは、靴１０内の、第１の参照マーク２２の前端部からの空間に対応する。したがって、第２の参照マーク２６は、爪先の余裕および成長のための最大推奨ゆとりを示す警告バーとして機能してもよい。第２の参照マークは、靴１０の内側の前端２８すなわち爪革までの前端方向への足１２のゆとり寸を示してもよい。しかしながら、そのように示されるゆとり寸は、靴１０の中敷きの端部に達するものであってもよいし、あるいは、足１２のゆとり寸を示す他の任意の周知ポイントあってもよい。
【００２９】
第１の参照マーク２２は表底１４に永久または一時的に取り付けることができる。第１の参照マーク２２は、表底１４に成形、絵付け、印刷、または刻印されてもよい。別の実施形態として、第１の参照マーク２２は、接着性の裏材を備えたプラスチックまたは紙に印刷されて表底１４に貼り付けられてもよい。第１の参照マーク２２を表底１４に永久または一時的に取り付ける他の手段は当業界において周知である。
【００３０】
同様に、第２の参照マーク２６は表底１４に永久または一時的に取り付けられてもよい。第２の参照マーク２６は、表底１４に成形、絵付け、印刷、または刻印されてもよい。別の実施形態として、第２の参照マーク２６は、接着性の裏材を備えたプラスチックまたは紙に印刷されて表底１４に貼り付けられてもよい。第２の参照マーク２６を表底１４に永久または一時的に取り付ける他の手段は当業界において周知である。
【００３１】
あるいは、表底は、靴１０の内側の幅に対応する第３の参照マーク３０を備えていてもよい。図１〜３は、参照ゲージ１６と第１の参照マーク２２との中間にあるものとして第３の参照マーク３０を示す。しかしながら、第３の参照マーク３０については他の構成も考えられる。また、図１〜３は、第３の参照マーク３０を２つのマークとして示している。しかしながら、第３の参照マーク３０は、ただ１つの領域、輪郭、または靴内の幅を表底１４上に示す他の手段によって示されてもよい。
【００３２】
第３の参照マーク３０は、表底１４に永久または一時的に取り付けられてもよい。第３の参照マーク３０は、表底１４に成形、絵付け、印刷、または刻印されてもよい。別の実施形態として、第３の参照マーク３０は、接着性の裏材を備えたプラスチックまたは紙に印刷されて表底１４に貼り付けられてもよい。第３の参照マーク３０を表底１４に永久または一時的に取り付ける他の手段は当業界において周知である。
【００３３】
あるいは、表底１４は、参照ゲージ１６と第１の参照マーク２２の中間に第４の参照マーク３２を備えていてもよい。第４の参照マーク３２は、第１の参照マーク２２に対して爪先が適切な寸法であることを保証するために、踵２０が参照ゲージ１６内にあるときに足１２の母指球が合うべき場所に対応している。第４の参照マーク３２は足１２の母指球の適切な位置を示す輪郭または領域であってもよい。第４の参照マーク３２は、表底１４に成形、絵付け、印刷、または刻印されてもよい。第４の参照マーク３２も、第１の参照マークのように、接着性の裏材を備えたプラスチックまたは紙に印刷されて表底１４に取り付けられてもよい。第４の参照マーク３２を表底１４に永久または一時的に取り付ける他の手段は当業界において周知である。
【００３４】
さらに別の実施形態として表底１４は、靴内１０の全体形状に対応する輪郭３４をさらに備えていてもよい。輪郭３４は、表底１４に成形、絵付け、印刷、または刻印されてもよい。前述ように、輪郭３４は、接着性の裏材を備えたプラスチックまたは紙に印刷されて表底１４に取り付けられてもよい。輪郭３４を表底１４に永久または一時的に取り付ける他の手段は当業界において周知である。
【００３５】
本発明では、参照ゲージ１６、第１の参照マーク２２、第２の参照マーク２６、第３の参照マーク３０、第４の参照マーク３２、および輪郭３４を任意の組み合わせで表底１４に取り付けてもよいと考えている。また、参照ゲージ１６、第１の参照マーク２２、第２の参照マーク２６、第３の参照マーク３０、第４の参照マーク３２、および輪郭３４を永久または一時的に取り付ける手段は、互いに異なっていてもよいし、同じであってもよい。
【００３６】
本発明の使用例を示す。本発明を組み込んだ靴１０を誰かが買おうとしている。その人物は、踵２０を参照ゲージ１６に合わせながら、足１２を靴の表底１４に載せる。表底１４がそのように装備されていれば、第２の参照マーク２７で表底１４に示されている場所に、足１２の母指球を載せる。足１２が適切に合わせられたら、爪先が、第１の参照マーク２２で示されている領域を超えていないか、速やかに判断する。爪先が、第１の参照マーク２２で示されている領域を超えている場合は、靴１０が小さ過ぎる。同様に、爪先が、第１の参照マーク２２で示されている領域に届いていない場合は、靴１０が大き過ぎる。図４に全体を１００で示されているように、ゲージ１６ならびに適用される参照マークがデカールなどの薄いプラスチックに印刷されており、このデカール３８が剥離可能に貼り付けられている基材３６から剥離され、デカール３８の片面に塗布されている剥がせる接着剤５２によって表底１４に接着される場合、希望するならば、靴購入後にデカール３８を取り外すこともができる。図４は、デカール３８の後端部４４とデカール３８の前端部４６との間に配置され、表底１４に組み入れることができる前述の各特徴部を示す。
【００３７】
図５は、全体を２００で示されている別の実施形態を示す。この実施形態は、札すなわち吊るし札４０であり、前述の各特徴部またはその任意の組合せが札４０の片面に印刷され、札の後端部４８とその前端部６０の間に配置されている。札は、靴の表底１４の形状に形成されることが好ましいが、そうである必要はない。片面が左足を表し、反対面が右足を表すように、札の両面に表示がなされていることが好ましい。現在は右足を示している図５のように、図面には両面が示されていないが、ひっくり返すと左足を示す。札４０は靴箱に差し込まれ、靴箱の中に入っている靴のサイズに対応する大きさを表してもよい。札４０が無くならないよう、札を片方の靴の鳩目また靴ひもなどに一時的に取り付けることができるように、札は穴４２を備えるべきである。靴購入後、客は、靴の使用前に札４０を取り外すことができる。もちろん、製造業者が望むならば、左右の靴それぞれに別個の札４０を取り付けることもできる。この場合、左足を表す札４０は左側の靴に取り付けられ、右足を表す札４０は右側の靴に取り付けられる。札４０は、衣服およびアクセサリに取り付けられる大部分の札に使用されるのと同様の故紙材から一般に作られる。
【００３８】
以上の説明から分かるように、本発明は、使いやすい装置を提供するという、長い間の切実なニーズを満足するものである。本発明は、試し履きをせずに靴を購入したい人々ならびに子供のための靴を買う人々にとって、特に便利である。本発明は、また、客が正しいサイズを選択するのを助ける経験が不十分な店員しかいないセルフサービスの場所で特に役に立つ。また、本発明は、子供の靴のサイズが分からないときに子供の靴を買おうする者にとって、および、子供の靴のサイズに関連して子供の成長をチェックしようとする場合に、特に有用である。
【００３９】
本発明が新規かつ有用であることは明らかである。また、法律の定めるところにより全体として考えられる従来技術に鑑み、本発明は発明当時の当業者に自明ではなかった。
【００４０】
このように、前述の目的ならびに上記説明から明らかとなったことが効率よく達成されることが分かるであろう。また、上記構造に対し、本発明の範囲から逸脱することなく、ある種の変更を施すこともできるので、上記構造に含まれているか、添付図面に示されている全事項は例示的なものであり、限定的な意味のものではないと解釈されるものである。
【００４１】
また、冒頭に記載されている請求項は、本願明細書に記載されている本発明のすべての包括的および特定的特徴と、文言の問題として該当していると言える、発明範囲のすべての記載を網羅するようになっているものと理解されたい。
【００４２】
以上、本発明の説明を行った。
【００４３】
【図面の簡単な説明】
【図１】本発明の斜視図である。
【図２】本発明を実施する靴の内側に足があるときの本発明の斜視図である。
【図３】使用中の本発明の斜視図である。
【図４】目に見える足サイズガイドが表面に表示されているデカールを含む別の実施形態を示す図である。
【図５】目に見える靴フィットガイドが表面に表示されている札を含む別の実施形態を示す図である。
【図１】
2004522462.tif 000003
【図２】
2004522462.tif 000004
【図３】
2004522462.tif 000005
【図４】
2004522462.tif 000006
【図５】
2004522462.tif 000007
【国際公開パンフレット】
2004522462.tif 000008
2004522462.tif 000009
2004522462.tif 000010
2004522462.tif 000011
2004522462.tif 000012
2004522462.tif 000013
2004522462.tif 000014
2004522462.tif 000015
2004522462.tif 000016
2004522462.tif 000017
2004522462.tif 000018
2004522462.tif 000019
2004522462.tif 000020
2004522462.tif 000021
2004522462.tif 000022
2004522462.tif 000023
2004522462.tif 000024
2004522462.tif 000025
2004522462.tif 000026
2004522462.tif 000027
2004522462.tif 000028
2004522462.tif 000029
2004522462.tif 000030
2004522462.tif 000031
2004522462.tif 000032
2004522462.tif 000033
2004522462.tif 000034
2004522462.tif 000035
2004522462.tif 000036
2004522462.tif 000037
2004522462.tif 000038
2004522462.tif 000039
2004522462.tif 000040
【国際調査報告】
2004522462.tif 000041
2004522462.tif 000042